(57)【特許請求の範囲】
【請求項１】
尾端部に握持用の柄部が設けられた軸方向に延びるチューブ状のケースの先端部に支軸を介してソケットが連結される駆動軸を有するヘッドを揺動可能に取付け、且つ該ヘッドを該ケース内に設けられているトグルリンク機構に接続したトルクレンチにおける該ヘッドに、前記駆動軸を回転駆動させるエアモータを取り付けた半自動エアモータ付きトルクレンチにおいて、
前記エアモータは前記ヘッドから前記柄部の先端に向かって延び、該柄部の先端に向かって延びる該エアモータの先端部には、下部にエアの供給および遮断のための操作弁を、上部にエア供給ホースが接続されるための上方に向けて開口するエア供給口を該エアモータ自体に設け、操作者が前記柄部を握った状態で指が掛けられる位置に設けた引き金を引くことにより前記操作弁を開弁操作するリンク式の操作機構を前記柄部の先端部に設けたことを特徴とする半自動エアモータ付きトルクレンチ。
【発明の詳細な説明】
【０００１】
【産業上の利用分野】
本発明は、ねじ締め作業性を高めるために開発した半自動エアモータ付きトルクレンチに関するものである。
【０００２】
【従来の技術】
従来の半自動エアモータ付きトルクレンチ構造としては、例えば図１、図２に示す如き構造のもの（実公昭４９−３８６４０号）が知られている。
【０００３】
このトルクレンチは、エアモータ、つまりエアを動力源として駆動するエアモータを有するナットランナを備えたトルクレンチであって、その概略構造は、ケース１の一端部に設けられた支軸２に軸支されるラチエットソー３と、このラチエットソー３上に取付けられて、このラチエットソー３内に設けられているラチエット４を回転せしめるためのエアモータ５と、前記ケース１の他端部に形成されているハンドル部６に設けられているエア供給口７及び操作弁８と、そのエア供給口７を前記のエアモータ５に連通する接続管９を有しているものである。
【０００４】
すなわち、従来の半自動エアモータ付きトルクレンチにあっては、そのトルクレンチのハンドル部６に設けられたエア供給口７にエアホースを接続し、さらにそのハンドル部６に備えられている操作弁８を、ハンドル部の軸方向へ押動操作することにより、前記エア供給口７からの圧力エアをエアモータ５に導入してラチエット４の駆動を行なうものである。
【０００５】
【発明が解決しようとする課題】
従ってこのような従来構造のトルクレンチにおいては、そのトルクレンチのハンドル部６にエアホースを接続していることから、そのトルクレンチを操作するときに、エアホースが操作する腕、手首等に引掛って邪魔となって作業性が悪いものであった。
【０００６】
また圧力エアの導入、遮断を行なうための操作弁８の操作は、ハンドル部６の軸方向と平行方向、つまりハンドル部６のねじ締め反力受け方向と直交方向に指操作しなければならないことから、その操作弁８の操作性が悪く、その上操作疲労度も多く快適なねじ締め作業ができないという不具合があった。
【０００７】
本出願に係る発明の目的は、かかる従来の欠点（不具合）を解消すべくなされたもので、締付作業持におけるエアホースの邪魔を解消して締付作業性を向上し、またトルクレンチハンドルのねじ締め反力受け操作と操作弁操作の両操作を同時にしかも容易とする半自動エアモータ付きトルクレンチを提供することにある。
【０００８】
【課題を解決するための手段】
上記した本発明の目的を実現する発明は、請求項１に記載のように、尾端部に握持用の柄部が設けられた軸方向に延びるチューブ状のケースの先端部に支軸を介してソケットが連結される駆動軸を有するヘッドを揺動可能に取付け、且つ該ヘッドを該ケース内に設けられているトグルリンク機構に接続したトルクレンチにおける該ヘッドに、前記駆動軸を回転駆動させるエアモータを取り付けた半自動エアモータ付きトルクレンチにおいて、前記エアモータは前記ヘッドから前記柄部の先端に向かって延び、該柄部の先端に向かって延びる該エアモータの先端部には、下部にエアの供給および遮断のための操作弁を、上部にエア供給ホースが接続されるための上方に向けて開口するエア供給口を該エアモータ自体に設け、操作者が前記柄部を握った状態で指が掛けられる位置に設けた引き金を引くことにより前記操作弁を開弁操作するリンク式の操作機構を前記柄部の先端部に設けたことを特徴とする。
【０００９】
【実施例】
以下に本発明を図面に示す実施例に基づいて詳細に説明する。
【００１０】
図３乃至図６において、１１はトルクレンチのチューブ状に形成されたケースであって、このケース１１の先端部には支軸１２が取付けられており、この支軸１２には駆動軸１３を保持するヘッド１４が軸支されている。このヘッド１４の尾端部は前記ケース１１内に設けられている不図示のトグルリンク機構に接続されているが、このトグルリンク機構は従来周知構造のものを使用することができ、また本発明の要旨ではないので、その詳細構造を省略する。
【００１１】
１５は図３〜図６に示すようにヘッド１４上に取付けられているエアモータで、エアモータ１５は図３〜図５に示すようにヘッド３から柄１６の先端部に向かって延びており、この延びた先端部にエア供給口２５と操作弁２４がモータ自体に設けられている。そして、このエアモータ１５の駆動力で、前記の駆動軸１３が駆動される。１６は前記ケース１１の尾端部に取付けられている柄であって、この柄１６の近傍に、ケース１１に取付けられている支軸１７によって軸支されている操作機構を構成する引き金１８が設けられている。
【００１２】
この引き金１８の先端１９は、ケース１１に取付けられている支軸２０に支持されている梃子杆２１の一端部２２の上側面に位置されており、その梃子杆２１の他端部２３はエアモータの操作弁２４の下端に近設されている。つまり操作機構は、引き金１８を引けば梃子杆２１を介して、図５および図６に示すようにエアモータ自体に設けられたエアモータの操作弁２４が動作される構造である。
【００１３】
２５はエアモータ１５に設けられているエア供給口で、図３に示すように、エアモータ１５自体にエア供給口２５が設けられており、このエア供給口２５に不図示のエア供給ホースが接続される。図３から図６に示すように、エアモータ１５の上部にエア供給口２５を、エアモータ１５の下部に操作弁２４を設けており、このエア供給口２５は図３に示すように上方に向けて開口している。
【００１４】
以上が本実施例のトルクレンチ構造であって、次にその作用について述べると、先ずそのトルクレンチのエアモータ１５に設けられているエア供給口２５に不図示のエア供給ホースを接続する。
【００１５】
そこで引き金１８を引く（矢方向Ａ）ことによって、梃子杆２１が支軸２０を支点として梃子動作し、その結果梃子杆２１の他端部２３で操作弁２４が押し上げられ、エアモータ内の弁が開く。これによってエアモータ１５が駆動し、駆動軸１３が回転されるためその駆動軸１３に取付けられているソケット（図示せず）によってねじ締めが行なわれるものである。またその引き金１８を引く力を解けば、操作弁２４は復元して弁が閉じるために、エアモータには圧力が作用されず、駆動軸１３の回転は停止する構造である。
【００１６】
このような本実施例のトルクレンチにあっては、エア供給ホースを、エアモータ１５に直接設けられているエア供給口２５に接続する構造であるから、そのエア供給ホースがトルクレンチの柄１６を握る作業者の手に触れたり、作業の邪魔になる等のことがなく、ねじ締め作業が円滑かつ容易となる。またエア供給ホースをエアモータへ直接に接続することで、従来使用されていた接続管を省くことができるので、エア供給口よりエアモータに導入されるまでの間でのエア圧力損失を防ぐことができ、これによってエアモータの安定した駆動が期待できる。
【００１７】
また本発明ではエア供給、遮断のための操作弁を引き金１８を使用する引き金操作で動作させる構造であるから、トルクレンチの柄１６を握りながらのエアモータの駆動操作が容易で、これによってもねじの締付作業性が大幅に向上する。
【００１８】
【発明の効果】
このように本発明によれば、操作者が柄を握った状態で操作機構の引き金に指を掛けることができるので、エアモータの操作性が著しく向上し、またエアモータ自体にエア供給口を設け、上方に開口したエア供給口にエア供給ホースを直接接続するようにしていることから、そのエア供給ホースが、トルクレンチの柄を握る操作者の手に触れたり、作業の邪魔になる等のことがなく、ねじの締付け作業が円滑かつ容易にできる。
【図面の簡単な説明】
【図１】従来の半自動エアモータ付きトルクレンチを示した構造説明図。
【図２】図１における平断面図。
【図３】本発明実施例の半自動エアモータ付きトルクレンチを示した平面図。
【図４】本発明実施例の半自動エアモータ付きトルクレンチを示した一部切裁側面図。
【図５】本発明実施例の半自動エアモータ付きトルクレンチを示した一部切裁底面図。
【図６】本発明実施例の半自動エアモータ付きトルクレンチを示した後面図。
【符号の説明】
１１…チューブのケース                      １２…支軸
１３…駆動軸                                １４…ヘッド
１５…エアモータ                            １６…柄
１７…支軸                                  １８…引き金
１９…引き金先端                            ２０…支軸
２１…梃子杆                                ２２…一端部
２３…他端部                                ２４…操作弁
２５…エア供給口
【図１】
0003633968.tif 000002
【図２】
0003633968.tif 000003
【図３】
0003633968.tif 000004
【図４】
0003633968.tif 000005
【図５】
0003633968.tif 000006
【図６】
0003633968.tif 000007